(57)【特許請求の範囲】
【請求項１】
洗浄水により便器本体を洗浄する水洗大便器において、
前記便器本体の供給口へ洗浄水を供給する給水装置と、
ボウル形状の汚物受け面と、前記汚物受け面の上縁部に沿って形成されるリム部と、前記リム部の内部に形成されて洗浄水を導くリム通水路と、を有するボウル部と、
前記供給口から前記リム通水路に接続する接続導水路と、
前記リム部に沿って形成され、前記リム通水路の前記汚物受け面側を開口させるスリットと、
前記便器本体の後部側のリム部において前記スリットを部分的に閉塞する閉塞部と、を備え、
前記リム通水路から前記スリットを通って前記汚物受け面へ流れる洗浄水により前記汚物受け面に旋回流が形成され、
前記リム通水路の上流側は前記接続導水路に接続され、前記リム通水路の下流側端部は閉塞されており、
前記リム通水路の下流側端部のリム部の外周側の壁部と前記閉塞部との接続部分は、前記閉塞部の表面に沿って滑らかに連続している水洗大便器。
【請求項２】
前記閉塞部の表面は、鉛直方向の壁面である
請求項１に記載の水洗大便器。
【請求項３】
前記リム部の内周側の壁部の下端は、前記汚物受け面の前記上縁部よりも前記リム部の外周側に位置し、前記壁部の上端は、前記壁部の下端よりも前記リム部の外周側に位置し、
前記接続導水路は、前記便器本体の左右方向の略中央に形成されている
請求項２に記載の水洗大便器。
【請求項４】
前記閉塞部は、前記便器本体の左右方向の幅が最大になる部分よりも後方側の領域の内、前記リム部の曲率の変曲点よりも後方に形成されている
請求項１乃至請求項３のいずれか１ 項に記載の水洗大便器。
【請求項５】
前記接続導水路は、前記供給口から前記便器本体の左右方向のうち一方側へと延びる上流側水路部と、この上流側水路部から前記左右方向のうち他方側へと延びる下流側水路部と、を有する
請求項１乃至請求項４のいずれか１項に記載の水洗大便器。
【発明の詳細な説明】
【技術分野】
【０００１】
本発明は、洗浄水により便器本体を洗浄する水洗大便器に関する。
【背景技術】
【０００２】
従来から、ボウル部と、ボウル部の上部周縁に設けたリム通水路と、このリム通水路の底部側にボウル部の上部周縁に沿うように連続的にボウル部に向けて開口したスリットとを有するリム部と、を備え、ボウル部の汚物受け面に旋回流を形成するオープンリム構造の水洗大便器が知られている（例えば、特許文献１参照）。オープンリム構造の水洗大便器は、構造が簡便であるので比較的安価に製造することができるというメリットがある。また、特許文献１に示すようなオープンリム構造の水洗大便器においては、スリットから吐水される洗浄水によってボウル部の汚物受け面に旋回流を形成することで、少ない洗浄水量でも汚物受け面を十分に洗浄することができる。
【先行技術文献】
【特許文献】
【０００３】
【特許文献１】特開２００４−２３８８９１号公報
【発明の概要】
【発明が解決しようとする課題】
【０００４】
しかしながら、上述した従来のオープンリム構造の水洗大便器において、リム部の上部周縁に沿って全周にスリットが設けられているので、ボウル部後方の上部周縁に設けられたスリットからもボウル部に向けて洗浄水が吐水される。そのため、ボウル部後方の上部周縁に設けられたスリットから流下する洗浄水と汚物受け面を旋回する洗浄水とが、ボウル部後方にて衝突し、衝突した水が飛沫になりやすいという懸念がある。さらに、近年便器に求められている節水化の観点から、洗浄水の水量を少なくしながら洗浄力を維持するために汚物受面を旋回する洗浄水の勢いを強めると、水の衝突が激しくなり、さらに飛沫が飛びやすくなってしまうおそれがある。また、ボウル部後方は、使用者が水洗大便器に腰掛けたときの使用者の肛門近くに位置しているので、ボウル部後方に飛散した汚物等が付着しやすい。そのため、ボウル部後方の上部周縁に設けられたスリットからリム通水路内などに汚物等が侵入してしまうという懸念もある。
【０００５】
この解決策として、水洗大便器の後方にディストリビュータ等の別部材を設けて、汚物受け面に旋回流を形成しつつ、ボウル部後方のスリットから洗浄水を吐水させないようにする構造が考えられる。しかし、ディストリビュータ等を別部材として設けると、製造コストが高くなり、生産性が低下してしまうといった懸念がある。これは、比較的安価に製造することができるというオープンリム構造の水洗大便器のメリットに反するものである。
【０００６】
本発明は、上述した課題を解決するためになされたものであり、ボウル部を流れる水がリム部のスリットから流下する水と衝突することで発生する飛沫を抑制しつつ、リム通水路内などの清潔性を保つことができる水洗大便器を提供することを目的とする。
【課題を解決するための手段】
【０００７】
上記目的を達成するために、本発明の一態様に係る水洗大便器によれば、洗浄水により便器本体を洗浄する水洗大便器において、便器本体の供給口へ洗浄水を供給する給水装置と、ボウル形状の汚物受け面と、汚物受け面の上縁部に沿って形成されるリム部と、リム部の内部に形成されて洗浄水を導くリム通水路と、を有するボウル部と、供給口からリム通水路に接続する接続導水路と、リム部に沿って形成され、リム通水路の汚物受け面側を開口させるススリットと、便器本体の後部側のリム部においてスリットを部分的に閉塞する閉塞部と、を備え、リム通水路からスリットを通って汚物受け面へ流れる洗浄水により汚物受け面に旋回流が形成され、リム通水路の上流側は接続導水路に接続され、リム通水路の下流側端部は閉塞されており、リム通水路の下流側端部のリム部の外周側の壁部と閉塞部との接続部分は、閉塞部の表面に沿って滑らかに連続している。
【０００８】
この構成によれば、便器本体の後部側のリム部においてスリットを部分的に閉塞する閉塞部が形成されているので、リム部の後部から洗浄水が流下することが抑制される。そのため、リム部の後部からボウル部の下方に向けて流下する洗浄水と、汚物受け面を旋回する洗浄水とが、ボウル部後方にて衝突することが抑制され、ボウル部を流れる水が衝突することで発生する飛沫を抑制することができる。
また、汚物の付着しやすいボウル部後方にてスリットが存在しない部分、つまり、閉塞部が形成されているので、飛散した汚物等がリム通水路内や接続導水路内等に進入することを抑制することができる。そのため、水洗大便器の清潔性を保つことができる。
リム通水路の下流側端部が閉塞されているので、汚物受け面の旋回流の旋回方向をより確実に一方向回りにすることができる。そのため、洗浄水同士の衝突が抑制され、ボウル部を流れる水が衝突することで発生する飛沫をより抑制することができる。
また、リム通水路内を一回りした旋回流が閉塞部の表面に流れやすくなるので、閉塞部を万遍なく洗浄することができる。そのため、水洗大便器の清潔性を保つことができる。
リム通水路の下流端部と閉塞部との接続部分は、閉塞部の表面に沿って滑らかに連続しているので、リム通水路の下流端部におけるスリットから汚物受け面へ流れる洗浄水が閉塞部の表面に流れやすくなる。これにより、閉塞部を万遍なく洗浄することができるとともに、汚物受け面に形成される旋回流の旋回性を向上させることができる。
【００１３】
また、本発明の一態様に係る水洗大便器において、好ましくは、閉塞部の表面は、鉛直方向の壁面である。
【００１４】
この構成によれば、閉塞部の表面は鉛直方向の壁面であるので、閉塞部を流れる洗浄水がボウル部の下方へ流れやすくなる。そのため、閉塞部を流れる洗浄水がボウル部外へ飛散してしまうことが抑制される。
また、閉塞部の表面は鉛直方向の壁面であるので、閉塞部を形成するための型を簡便な構造にすることができる。そのため、より安価に水洗大便器を製造することができる。
【００１５】
また、本発明の一態様に係る水洗大便器において、好ましくは、リム部の内周側の壁部の下端は、汚物受け面の上縁部よりもリム部の外周側に位置し、リム部の内周側の壁部の上端は、この壁部の下端よりもリム部の外周側に位置し、接続導水路は、便器本体の左右方向の略中央に形成されている。
【００１６】
この構成によれば、リム部の内周側の壁部の下端が汚物受け面の上縁部よりもリム部の外周側に位置するとともに、リム部の内周側の壁部の上端がその下端よりもリム部の外周側に位置し、接続導水路が水洗大便器の左右方向の略中央に形成されているので、簡単な型構成によって水洗大便器を形成することができる。そのため、より安価に水洗大便器を製造することができる。
【００１７】
また、本発明の一態様に係る水洗大便器において、好ましくは、閉塞部は、便器本体の左右方向の幅が最大になる部分よりも後方側の領域の内、リム部の曲率の変曲点よりも後方に形成されている。
【００１８】
この構成によれば、閉塞部は、便器本体の左右方向の幅が最大になる部分よりも後方側の領域の内、リム部の曲率の変曲点よりも後方に形成されているので、その前方には、スリットを形成することができる。これにより、スリットから吐水される洗浄水を汚物受け面全体に万遍なく行き渡らせることができる。そのため、飛散した汚物等がリム通水路内や接続導水路内等に進入することを抑制しつつ、汚物受け面全体を万遍なく洗浄することができ、水洗大便器の清潔性を保つことができる。
【００１９】
また、本発明の一態様に係る水洗大便器において、好ましくは、接続導水路は、供給口から便器本体の左右方向のうち一方側へと延びる上流側水路部と、この上流側水路部から左右方向のうち他方側へと延びる下流側水路部と、を有する。
【００２０】
この構成によれば、接続導水路は、供給口から便器本体の左右方向のうち一方側へと延びる上流側水路部と、この上流側水路部から左右方向のうち他方側へと延びる下流側水路部と、を有している。これにより、洗浄水が便器本体の左右方向のうち一方側へと延びる上流側水路部から、方向を変えて下流側水路部に流入し、下流側水路部に沿って左右方向のうち他方側へと比較的長い長さにわたって導かれる。これにより、下流側水路部からリム通水路に向かって流入する洗浄水の勢いが強められ、さらにリム通水路を旋回しようとする流れが形成されやすくなる。そのため、リム通水路を旋回しようとする洗浄水の勢いを強めることができ、ボウル部を十分に洗浄することができる。
【発明の効果】
【００２１】
本発明によれば、水洗大便器において、ボウル部を流れる水が衝突することで発生する飛沫を抑制しつつ、清潔性を保つことができる。
【図面の簡単な説明】
【００２２】
【図１】本発明の一実施形態に係る水洗大便器の上面図である。
【図２】図１のＩＩ−ＩＩ線に沿って見た断面図である。
【図３】図２のＩＩＩ−ＩＩＩ線に沿って見た断面図である。
【図４】図３のＩＶ−ＩＶ線に沿って見た断面図である。
【図５】図３のＶ−Ｖ線に沿って見た断面図である。
【図６】本発明の一実施形態に係る便器本体の製造に使用する各型の型合わせした状態を示す断面図である。
【図７】図３のＶＩＩ−ＶＩＩ線に沿って見た断面図である。
【図８】本発明の一実施形態に係る便器本体の製造に使用する各型の型合わせした状態を示す断面図である。
【図９】従来の便器本体の製造に使用する各型の型合わせした状態を示す断面図である。
【図１０】図６に示す領域Ａの部分拡大図である。
【図１１】本発明の一実施形態に係る水洗大便器の水の流れを表した模式図である。
【発明を実施するための形態】
【００２３】
以下、本発明の実施の形態について添付図面を参照しながら説明する。なお、各図面中、同様の構成要素には同一の符号を付して詳細な説明は適宜省略する。
【００２４】
＜水洗大便器の構成＞
まず、図１〜図４を参照して、本発明の一実施形態に係る水洗大便器について説明する。なお、以下においては、図中に示す方向を用いて説明する。
【００２５】
図１は、本発明の一実施形態に係る水洗大便器の上面図である。図２は、図１のＩＩ−ＩＩ線に沿って見た断面図である。図３は、図２のＩＩＩ−ＩＩＩ線に沿って見た断面図である。図４は、図３のＩＶ−ＩＶ線に沿って見た断面図である。
【００２６】
図１及び図２に示すように、水洗大便器１は、陶器等からなる便器本体２と、洗浄水源であるタンク装置４とを備えている。タンク装置４は、便器本体２の後方側の上方に載置されており、上水道等の給水源（図示せず）に接続されている。このタンク装置４の操作レバーやリモコン（図示せず）等が操作されると、タンク装置４から便器本体２の中央後方側の上面に開口した供給口６へ洗浄水が供給される。
なお、本実施形態においては、タンク装置４が給水装置としての機能を果たす。
【００２７】
便器本体２の前方側には、内部に汚物等が排出されるボウル部８が形成されており、このボウル部８の下方には、溜水部１０が形成されている。溜水部１０には、所定量の溜水が形成されている。なお、図２に示す水位Ｗ０は、溜水の初期水位である。この溜水部１０の下端には、水洗大便器１の外部へ汚物等を排出するための排水トラップ管路１２の入口１２ａが接続されている。排水トラップ管路１２は、その入口１２ａから後方へと延び、その出口１２ｂが床面に設置された排出管（図示せず）に接続されている。
【００２８】
ボウル部８は、上面視において、全体として略卵形状を有している。また、ボウル部８は、ボウル形状の汚物受け面１４と、汚物受け面１４の上縁部に沿って形成されるリム部１６と、リム部１６の内部に形成されて洗浄水を導くリム通水路１８とを有する。
【００２９】
汚物受け面１４は、その下縁部から上縁部に向かって、徐々に広がっていくようにテーパ状に形成されている。言い換えると、縦方向断面における汚物受け面１４が、汚物受け面１４の下縁部から上縁部に向かって徐々に拡大するように形成されている（図２及び図４参照）。
【００３０】
リム部１６は、汚物受け面１４の上縁部に沿って環状に形成されており、その内部にはリム通水路１８が形成されている。また、リム部１６は、その内周側の壁部であるリム内側壁２０と、外周側の壁部であるリム外側壁２２と、上側の壁部であるリム上側壁２４と、下側の壁部であるリム下側壁２６とを有しており、これらによって区画された空間内が、リム通水路１８となっている。
【００３１】
リム通水路１８の上流側は、後述する接続導水路３２に接続されている。このリム通水路１８は上流側端部からリム部１６に沿って一回りするように形成されており、リム通水路１８の下流側端部は、リム通水路１８内を流れる洗浄水の流れ方向について閉塞されている。
【００３２】
リム下側壁２６は、汚物受け面１４の上縁部から外周方向に向かって延びるように形成されており、その外周端部から上方に向かってリム外側壁２２が延びている。また、リム外側壁２２の上端部から内周方向（上面視においてリム部１６から汚物受け面１４に向かう方向）に向かって水平にリム上側壁２４が延びている。そして、リム上側壁２４の内周端部から下方に向かって、リム内側壁２０が延びている。つまり、リム通水路１８の流路断面において、リム部１６は、リム下側壁２６、リム外側壁２２、リム上側壁２４、及びリム内側壁２０により略矩形状をなす。
【００３３】
また、リム内側壁２０の下端は、汚物受け面１４の上縁部よりもリム部１６の外周側に位置する。また、リム内側壁２０の上端は、リム内側壁２０の下端よりもリム部１６の外周側に位置する。言い換えると、リム内側壁２０は、その上端から下端に向かって徐々に径が狭まっていくようにテーパ状に形成されている。
なお、リム内側壁２０のうち、テーパ状に形成されている部分は、汚物受け面１４の上縁部とともに後述するスリット２８を形成する部分であり、リム内側壁２０のうち、後述する閉塞部３０の部分は鉛直方向に延びるように形成されている。また、リム内側壁２０は、リム部１６の全周において、上端から下端にかけて鉛直に延びるように形成されていてもよい。
【００３４】
さらに、リム外側壁２２とリム下側壁２６の接続部分は、汚物受け面１４の上縁部とリム下側壁２６との接続部分よりも上方の位置に形成されている。つまり、リム下側壁２６は、リム部１６の外周側から内周側に向かって下方に傾斜している。言い換えると、リム通水路１８の流路下面を形成しているリム下側壁２６の上面は、リム部１６から汚物受け面１４に向かう方向に下方へ傾斜している。
【００３５】
図３及び図４に示すように、リム部１６には、リム通水路１８と汚物受け面１４の上縁部との間に、リム部１６に沿ってスリット２８が形成されている。スリット２８は、リム内側壁２０の下端と汚物受け面１４の上縁部（リム下側壁２６の内周側の部分）との間に設けられている間隙であり、リム通水路１８の汚物受け面１４側を開口させる。つまり、スリット２８は、リム部１６の内部空間を、汚物受け面１４上の空間に対して連通させる。スリット２８は、リム部１６の後側の部分を除いた部分にリム部１６に沿って（平面視で略「Ｕ」字状に沿って）連続的に形成されている。スリット２８は、リム部１６の左右方向の幅が最大になる部分、つまり、便器本体２の左右方向の幅が最大になる部分よりも後方側の領域については、リム部１６の曲率の変曲点よりも前方に形成されている。リム通水路１８を流れる洗浄水は、このスリット２８から汚物受け面１４へ吐水される。そして、リム通水路１８からこのスリット２８を通って汚物受け面１４へ流れる洗浄水によって、汚物受け面１４に旋回流が生成される。
【００３６】
また、便器本体２の後部側のリム部１６には、スリット２８を部分的に閉塞する閉塞部３０が設けられている。また、閉塞部３０の表面は、鉛直方向の壁面である（図２参照）。
この閉塞部３０は、リム部１６の左右方向の幅が最大になる最大幅Ｈの部分、つまり、便器本体２の左右方向の幅が最大になる最大幅Ｈの部分よりも後方側の領域の内、リム部１６の曲率の変曲点よりも後方に形成されている（図１参照）。つまり、リム部１６において、リム部１６の左右方向の幅が最大になる部分よりも後方側の領域の内、リム部１６の曲率の変曲点よりも後方側には、吐水口としての機能を有するスリット２８が形成されていない。ここで、リム部１６の曲率の変曲点とは、上面視において比較的大きい曲率半径のリム部１６の右側方部及び左側方部と、上面視において比較的小さい曲率半径のリム部１６の後部（又は前部）との接続点である。平面視でリム部１６の内周が沿う略卵型形状は、前後方向について、曲率半径が互いに異なる部分として、概略的にリム部１６の後部、中間部、及び前部の３つの部分に分けられる。つまり、この３つの各部分は、略一定の曲率半径の曲線である。この略卵型形状において、曲率半径は、前部、後部、中間部の順に大きくなる。そして、ここでのリム部１６の曲率の変曲点は、上記の略卵型形状において、曲率（曲率半径）が変わる点であり、曲率半径が互いに異なる後部と中間部との境界点に相当する。
【００３７】
また、リム通水路１８の下流側端部と閉塞部３０との接続部分は、閉塞部３０の表面に沿って滑らかに連続している。より詳しくは、リム通水路１８の下流端部におけるリム外側壁２２の内側の面は、汚物受け面１４と連続して表面に露出した面部である閉塞部３０と連続して形成されている。そして、上面視において、リム通水路１８の下流端部におけるリム外側壁２２から閉塞部３０の表面にかけて、滑らかな曲線を描くように閉塞部３０が形成されている。すなわち、洗浄水の流れ方向を平面視で左回りとするリム通水路１８を形成するリム部１６の左側の後部において、リム部１６の外周側の壁部であるリム外側壁２２が、リム通水路１８の外周側の面となる内側の壁面を、この壁面が閉塞部３０の表面と連続した湾曲面を形成するように表面に露出させている。
【００３８】
便器本体２の後方側上部には、供給口６から前方に向かって延びてリム通水路１８に接続する接続導水路３２が形成されている。つまり、供給口６へ流入した洗浄水は、この接続導水路３２を通ってリム通水路１８に流れる。また、供給口６から前方に向かって延びる接続導水路３２は、その経路部分として、供給口６から便器本体２の左右方向のうち一方側へと延びる上流側水路部３４と、この上流側水路部３４から左右方向のうち他方側へと延びる下流側水路部３６とを有している。言い換えると、接続導水路３２は、上面視において、上流側水路部３４および下流側水路部３６とにより、全体として「く」の字形状（他の例示としては、ブーメラン形状、又は、Ｌ字を傾けた形状）を有している。本実施形態においては、上流側水路部３４は、供給口６から便器本体２の左斜め前方へと延びており、下流側水路部３６は、上流側水路部３４の下流端部から右斜め前方へと延びている。このように、左右略中央に位置する供給口６から前方に向かって延びる接続導水路３２は、左前側に一旦迂回してから右前側に延設され、リム通水路１８に接続している。また、接続導水路３２は、閉塞部３０の背面側に位置するリム通水路１８に接続している。これにより、接続導水路３２から流れてきた水は、閉塞部３０の背面側が斜壁となって接続導水路３２から直接ボウル部８へ流下しない。そのため、ボウル部８の後部において水の飛沫が発生しにくくなる。
【００３９】
下流側水路部３６の下流端部は、リム通水路１８の上流側端部、つまり、リム部１６の右後方端部に接続されている。また、下流側水路部３６は、上面視において、リム通水路１８の上流端部における接線と略重なるように形成されている。つまり、平面視で全体として略卵型形状に沿うリム通水路１８の右側後部に対し、後側から前側にかけて右斜め方向に略直線状に延びる下流側水路部３６が、その流路方向をリム通水路１８の環状の流路に対して接線方向に連続させるように設けられている。さらに、下流側水路部３６の水路長さは、上流側水路部３４の水路長さよりも長くなるように形成されている。
【００４０】
このように、接続導水路３２は、供給口６からリム通水路１８に対する接続箇所に対して直接的に延設されず、迂回路としての上流側水路部３４を介してから、リム通水路１８に対して接線方向に繋がる下流側水路部３６をリム通水路１８に接続させている。これにより、リム通水路１８に対して接線方向に繋がる下流側水路部３６の経路長を長くすることができ、下流側水路部３６からリム通水路１８に向かって流入する洗浄水の勢いが強められ、さらにリム通水路１８を旋回しようとする流れが形成されやすくなる。そのため、リム通水路１８を旋回しようとする洗浄水の勢いを強めることができ、ボウル部８を十分に洗浄することができる。
【００４１】
＜便器本体の製造方法＞
つぎに、図５〜図１０を参照して、本発明の一実施形態に係る便器本体の製造方法について説明する。
【００４２】
図５は、図３のＶ−Ｖ線に沿って見た断面図である。図６は、本発明の一実施形態に係る便器本体の製造に使用する各型の型合わせした状態を示す断面図である。図７は、図３のＶＩＩ−ＶＩＩ線に沿って見た断面図である。図８は、本発明の一実施形態に係る便器本体の製造に使用する各型の型合わせした状態を示す断面図である。図９は、従来の便器本体の製造に使用する各型の型合わせした状態を示す断面図である。図１０は、図６に示す領域Ａの部分拡大図である。
【００４３】
なお、図６は、図５における水洗大便器の断面と同位置における断面を表し、図８は、図７における水洗大便器の断面と同位置における断面を表す。
【００４４】
図５及び図６に示すように、便器本体２の製造に必要な型は、上型４０と、上型４０の下方に配置される底型４２と、上型４０と底型４２との間において、左右の側方に配置される右側型４４及び左側型４６と、である。
上型４０は、便器本体２の上面及びボウル部８の内壁形状に適合した形状を有しており、底型４２は、便器本体２の下面の形状に適合した形状を有している。右側型４４及び左側型４６は、便器本体２の側方の外壁面に適合した形状を有している。
【００４５】
便器本体２の製造方法としては、まず、各型を組み合わせる。各型を組み合わせると、型の内側にキャビティ４８が形成される。このように、上型４０、底型４２、右側型４４及び左側型４６によって、便器本体２の素地を形成するキャビティ４８が形成された後、キャビティ４８内に泥漿を流し込む。そして、各型の型面からエアを吸引してから、所定時間放置し、各型の型面に泥漿を堆積させる。その後、キャビティ４８から泥漿の泥を排出し、堆積泥漿の土締めを行い、最後に、型抜きを行う。ここで、型は、一方向にしか抜くことができないので、上型４０は上方向に、底型４２は下方向に、右側型４４は視日方向に、左側型４６は左方向に、型を抜く。このようにして、便器本体２の素地を得る。
なお、スリット２８は、便器本体２の素地を得た後に、切削加工を行うことによって形成される。
【００４６】
便器本体２の素地を得た後は、素地を乾燥し、さらに素地焼成を行う。このようにして、本実施形態における便器本体２が生成される。
【００４７】
ここで、リム部１６において、閉塞部３０の表面が鉛直方向の壁面である（図２参照）ので、閉塞部３０の表面を形成するための型、つまり、上型４０を簡便な構造とすることができる。そのため、より安価に水洗大便器１を製造することができる。
【００４８】
また、図７及び図８に示すように、便器本体２上部の左右方向の略中央に接続導水路３２が形成されている。この接続導水路３２は、上型４０と、右側型４４と、左側型４６と、によって形成される。また、右側型４４と、左側型４６との間の幅を調整することによって、接続導水路３２の流路幅を調整することができる。
なお、排水トラップ管路１２の出口１２ｂは、スリット２８と同様に、便器本体２の素地を得た後に、切削加工を行うことによって形成される。
【００４９】
このように、接続導水路３２は便器本体２の左右方向の略中央に形成されている。また、前述したように、リム内側壁２０は、その下端が汚物受け面１４の上縁部よりもリム部１６の外周側に位置するように形成されるとともに、リム内側壁２０の上端がリム内側壁２０の下端よりもリム部１６の外周側に位置するように形成されている。そのため、接続導水路３２の流路幅を絞りつつ、上型４０、底型４２、右側型４４、左側型４６の型構成のみで、便器本体２を形成することができる。そのため、より安価に水洗大便器１を製造することができる。
【００５０】
ここで、図９に示すように、接続導水路３２が水洗大便器１（便器本体２）の左右方向の略中央に形成されていない、つまり、接続導水路３２が便器本体２の左右方向の一方側（図示の例では右側）の端部に沿うように形成される場合、上型４０、底型４２、右側型４４、左側型４６に加えて、中型５０が必要となる。具体的には、型は一方向にしか抜くことができないので、キャビティ４８内に中型５０を入れ込み、上型４０、底型４２、右側型４４、左側型４６の型抜きの後、中型５０を型抜きする。このように、従来の便器本体２の製造方法だと、接続導水路３２が便器本体２の左右一側寄りに位置することから、上型４０、底型４２、右側型４４、左側型４６に加えて、中型５０が必要であるため、生産性が低下してしまう懸念がある。
ここで、接続導水路３２の左右方向の流路幅をより広くすることで、中型５０を使用せずに、上型４０、底型４２、右側型４４、左側型４６の型構成のみで便器本体２の素地を生成する方法がある。しかし、この方法だと、接続導水路３２の流路幅が絞られていないので、スリット２８から汚物受け面１４へ吐水される洗浄水の旋回性が低下してしまう等の懸念がある。
【００５１】
また、図１０に示すように、リム通水路１８（リム部１６）は、上型４０と、右側型４４及び左側型４６と、によって形成される。具体的には、前後方向の中央線（ＩＩ−ＩＩ線）よりも右側のリム通水路１８（リム部１６）は、上型４０と右側型４４とによって形成される。一方、前後方向の中央線（ＩＩ−ＩＩ線）よりも左側のリム通水路１８（リム部１６）は、上型４０と左側型４６とによって形成される。
【００５２】
ここで、リム通水路１８の流れ方向が閉塞している部分、つまり、リム通水路１８の下流端部の形成方法について説明する。
リム通水路１８の流路幅は、上型４０と右側型４４（又は左側型４６）とのキャビティ４８の幅Ｌを変えることによって調整することができる。これを利用して、リム通水路１８の上流側から下流端部に向けて（便器本体２の前方側から後方側に向けて）、リム通水路１８を形成している上型４０と左側型４６の表面間におけるキャビティ４８の幅Ｌを徐々に小さくしていく。リム通水路１８を形成しているキャビティ４８の幅Ｌが、一つの型の表面に泥漿が堆積する厚みの２倍以下まで小さくなると、上型４０と左側型４６とにそれぞれ堆積していた泥漿が重なり、リム通水路１８の下流端部が閉塞される。このように、本実施形態では、リム通水路１８の流路幅を下流側にかけて徐々に狭くすることで、最終的にリム通水路１８の下流端部が閉塞されている。ただし、リム通水路１８の下流端部を閉塞する構成としては、例えば、リム通水路１８の流路に対して便器本体２の一部としてあるいは別部材により障壁等の閉塞部を設けることによって流路を閉塞する構成等であってもよい。
【００５３】
＜動作及び作用＞
つぎに、図１１を参照して、本発明の一実施形態に係る水洗大便器の動作及び作用について説明する。
【００５４】
図１１は、本発明の一実施形態に係る水洗大便器の水の流れを表した模式図である。
【００５５】
図１１に示すように、タンク装置４から便器本体２の供給口６へ排出された洗浄水は、接続導水路３２の上流側水路部３４へ流入する。接続導水路３２の上流側水路部３４を流れる洗浄水は、便器本体２の左右方向の一方側（本実施形態では、左斜め前方）に向かって流れた後、方向を変えて下流側水路部３６に流れる。上流側水路部３４から下流側水路部３６へ方向を変えて流れる洗浄水は、便器本体２の左右方向の他方側（本実施形態では、右斜め前方）に向かって上流側水路部３４の経路長に対して比較的長い経路にわたって導かれる。そして、下流側水路部３６において、比較的長い経路にわたって導かれた洗浄水は、リム通水路１８へ流れて旋回流を形成する。
【００５６】
このように、洗浄水が供給口６から便器本体２の左右方向のうち一方側へと延びる上流側水路部３４から、方向を変えて下流側水路部３６へ流入し、下流側水路部３６に沿って左右方向のうち他方側へと比較的長い長さにわたって導かれる。これにより、下流側水路部３６からリム通水路１８に向かって流入する洗浄水の勢いが強められ、さらにリム通水路１８を旋回する流れが形成されやすくなる。そのため、リム通水路１８を旋回しようとする洗浄水の勢いを強めることができ、ボウル部８を十分に洗浄することができる。
【００５７】
リム通水路１８へ導かれた洗浄水は、リム部１６に沿って左回りの方向に一周するような旋回流を形成しながら流れる。それと同時に、スリット２８から汚物受け面１４に洗浄水が吐水されて、汚物受け面１４に旋回流が形成される。言い換えると、リム通水路１８を流れる洗浄水は、リム通水路１８内の上流から下流端部までの流れと、スリット２８から汚物受け面１４へ吐水される流れと、の２通りを有する。
【００５８】
ここで、便器本体２のリム部１６の後部側においてもスリット２８が形成されている構成、つまり、閉塞部３０が形成されておらず全周にわたってスリット２８が形成された構成を仮想した場合、かかる構成においては、リム通水路１８を通る洗浄水がリム部１６の後部から吐水されて、リム部１６の後部からボウル部８の下方に向けて流下することになる。この場合、リム部１６の後部からボウル部８の下方に向けて流下する洗浄水と汚物受け面１４を旋回する洗浄水とが衝突して飛沫が発生しまう懸念がある。
この点、本実施形態においては、スリット２８を部分的に閉塞する閉塞部３０が形成されているので、便器本体２の後部側のリム部１６において、リム部１６の後部から洗浄水が流下することが抑制される。そのため、リム部１６の後部からボウル部８の下方に向けて流下する洗浄水と、汚物受け面１４を旋回する洗浄水とが、ボウル部８後方にて衝突することが抑制され、ボウル部８を流れる水が衝突することで発生する飛沫を抑制することができる。
【００５９】
また、閉塞部３０は、便器本体２の左右方向の幅が最大になる部分よりも後方側の領域の内、リム部１６の曲率の変曲点よりも後方に形成されているので、その前方には、スリット２８を形成することができる。これにより、スリット２８から吐水される洗浄水を汚物受け面１４全体に万遍なく行き渡らせることができる。そのため、飛散した汚物等がリム通水路１８内や接続導水路３２内等に進入することを抑制しつつ、汚物受け面１４全体を万遍なく洗浄することができ、水洗大便器１の清潔性を保つことができる。
【００６０】
リム通水路１８内の上流から下流端部まで流れた洗浄水は、リム通水路１８の下流端部におけるスリット２８を通って閉塞部３０に向かって流れる。リム通水路１８の下流端部は、リム通水路１８の流れを閉塞している、つまり、リム通水路１８の下流端部が接続導水路３２に接続されていないので、汚物受け面１４の旋回流の旋回方向をより確実に一方向回り（本実施形態では、左回り）にすることができる。そのため、洗浄水同士の衝突が抑制され、ボウル部８内を流れる洗浄水が衝突することで発生する飛沫をより抑制することができる。また、リム通水路１８内を上流から下流端部まで一回りした旋回流が閉塞部３０の表面に流れやすくなるので、閉塞部３０を万遍なく洗浄することができる。そのため、水洗大便器１の清潔性を保つことができる。
【００６１】
さらに、リム通水路１８の下流端部と閉塞部３０との接続部分は、閉塞部３０の表面に沿って滑らかに連続しているので、リム通水路１８の下流端部におけるスリット２８から汚物受け面１４へ流れる洗浄水が閉塞部３０の表面に流れやすくなる。これにより、閉塞部３０を万遍なく洗浄することができるとともに、汚物受け面１４に形成される旋回流の旋回性を向上させることができる。
【００６２】
また、閉塞部３０の表面は、鉛直方向の壁面であるので、閉塞部３０の表面を流れる洗浄水は上方に向かって駆け上がりにくくなり、ボウル部８の下方へ流れやすくなる。そのため、閉塞部３０を流れる洗浄水がボウル部８外へ飛散してしまうことが抑制される。
仮に、閉塞部３０の表面がオーバーハングしたような形状である場合、閉塞部３０を流れる洗浄水がボウル部８外へ飛散してしまうことは抑制されるが、閉塞部３０を形成するための型の構成が複雑になってしまい、生産性が低下してしまう懸念がある。逆に、閉塞部３０の表面が下側から上側にかけて外側に傾斜する傾斜面である場合、閉塞部３０を形成するための型の構成を簡便にすることができるが、閉塞部３０の表面を流れる洗浄水が上方に向かって駆け上がりやすくなり、ボウル部８外へ洗浄水が飛散してしまう懸念がある。
本実施形態のように、閉塞部３０の表面を鉛直方向の壁面とすることで、閉塞部３０を形成するための型の構成を簡便にしつつ、閉塞部３０の表面を流れる洗浄水が上方に向かって駆け上がりにくくすることができる。
【００６３】
閉塞部３０の表面を流れる洗浄水は、スリット２８から汚物受け面１４へ吐水される洗浄水と合流し、ボウル部８内に旋回流を形成しながら溜水部１０へと流下する。
そして、溜水部１０へと流下した洗浄水は、汚物等とともに排水トラップ管路１２へ流れ、排水トラップ管路１２の出口１２ｂから、床面に配設された排水管（図示せず）に排出される。
【００６４】
＜変形例＞
以上、本発明の実施形態について説明したが、本発明は上述した実施形態に限定されるものではない。
【００６５】
例えば、汚物受け面１４に形成される旋回流が左回りに旋回する構成を説明したが、汚物受け面１４に形成される旋回流が右回りに旋回するように便器本体２を構成してもよい。
【００６６】
また、便器本体２は、例えば樹脂等によって形成されていてもよい。
【００６７】
また、接続導水路３２は、供給口６から便器本体２の左右方向のうち一方側へと延びる上流側水路部３４と、この上流側水路部３４から左右方向のうち他方側へと延びる下流側水路部３６とを有している構成を説明したが、リム通水路１８の下流端部が閉塞されている場合、つまり、旋回流を形成することができる場合、この構成に限定されない。例えば、上面視において、供給口６からリム通水路１８に向かって略直線状に延びるように接続導水路３２が形成されていてもよい。
【００６８】
また、リム通水路１８の下流側端部と閉塞部３０との接続部分は、閉塞部３０の表面に沿って滑らかに連続している構成を説明したが、この構成に限定されない。例えば、リム通水路１８の下流側端部と閉塞部３０との接続部分を段状に形成し、リム通水路１８の下流側端部を流れる洗浄水を溜水部１０へ落としこむようにしてもよい。
【００６９】
前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１    水洗大便器
２    便器本体
４    タンク装置（給水装置）
６    供給口
８    ボウル部
１０    溜水部
１２    排水トラップ管路
１２ａ  入口
１２ｂ  出口
１４    汚物受け面
１６    リム部
１８    リム通水路
２０    リム内側壁
２２    リム外側壁
２４    リム上側壁
２６    リム下側壁
２８    スリット
３０    閉塞部
３２    接続導水路
３４    上流側水路部
３６    下流側水路部
４０    上型
４２    底型
４４    右側型
４６    左側型
４８    キャビティ
５０    中型
Ｈ    リム部の最大幅
Ｌ    キャビティの幅
Ｗ０    初期水位
【図１】
0006789505.tif 000002
【図２】
0006789505.tif 000003
【図３】
0006789505.tif 000004
【図４】
0006789505.tif 000005
【図５】
0006789505.tif 000006
【図６】
0006789505.tif 000007
【図７】
0006789505.tif 000008
【図８】
0006789505.tif 000009
【図９】
0006789505.tif 000010
【図１０】
0006789505.tif 000011
【図１１】
0006789505.tif 000012